(57)【要約】【課題】  傷や汚れの多いディスクの場合でも、再起動の際に安定したサーボ自動調整用の調整値を、再度サーボ自動調整等を行うことなく、迅速且つ確実に得ることができるディスク再生装置を得る。【解決手段】  回転するディスク１上を走査する光学ピックアップ６の出力に基づいて、ディスク１上の傷や汚れを検出する傷・汚れ検出手段１０ａと、ディスク１の再生時、傷・汚れ検出手段１０ａの検出結果に基づいてディスク１上の傷や汚れの無い部分をサーボ自動調整の適正エリアとして記憶するメモリ１２と、このメモリ１２の出力に基づいてサーボ自動調整を行うサーボ調整手段１０ｂ、１１とを備え、サーボ調整手段１０ｂ、１１は、ディスク１の再生終了後に再起動する時点で適正エリアでのサーボ自動調整を実施する。【選択図】        図１
2006351157.tif 000002
【特許請求の範囲】
【請求項１】
回転するディスク上を走査する光学ピックアップの出力に基づいて、上記ディスク上の傷や汚れを検出する検出手段と、
上記ディスクの再生時、上記検出手段の検出結果に基づいて上記ディスク上の傷や汚れの無い部分をサーボ自動調整の適正エリアとして記憶する記憶手段と、
該記憶手段の出力に基づいてサーボ自動調整を行うサーボ調整手段と
を備え、上記サーボ調整手段は、上記ディスクの再生終了後に再起動する時点で上記適正エリアでのサーボ自動調整を実施することを特徴とするディスク再生装置。
【請求項２】
上記記憶手段は、記憶するサーボ自動調整の適正エリアと対応させてそのディスクを識別可能な情報を記憶することを特徴とする請求項１記載のディスク再生装置。
【請求項３】
上記記憶手段は、記憶するサーボ自動調整の適正エリアの情報を複数記憶しておき、上記サーボ調整手段は、再生停止後に再起動する際、上記記憶手段に記憶されている複数の適正エリアの内、再起動時点から一番近傍の適正エリアでのサーボ自動調整を行うことを特徴とする請求項１または請求項２記載のディスク再生装置。
【請求項４】
上記記憶手段は、上記記憶するサーボ自動調整の適正エリアとして、サーボ自動調整を実施するに充分な区間の間上記ディスクに傷および汚れが無い場合にその区間の開始アドレスと終了アドレスを記憶し、上記サーボ調整手段は、再生終了後に再起動する時点で上記記憶の区間でのサーボ自動調整を実施することを特徴とする請求項１から請求項３のうちいずれか１項記載のディスク再生装置。
【発明の詳細な説明】
【技術分野】
【０００１】
この発明は、車両等に搭載して好適なディスク再生装置に関し、特に、サーボ調整を自動調整で行うディスク再生装置に関するものである。
【背景技術】
【０００２】
従来のディスク再生装置におけるサーボ自動調整は、ディスクの読み取り面に傷や汚れが存在してもそのままそのエリアで行われるので、外乱により間違った調整値を結果として得る場合があり、間違った調整値は耐振性、プレイアビリティの悪化を招くおそれがある（例えば、特許文献１参照）。
【０００３】
【特許文献１】特開平８−２８７４９４号公報
【発明の開示】
【発明が解決しようとする課題】
【０００４】
そこで、上述のような従来のディスク再生装置のサーボ自動調整における欠点を防ぐために、サーボ波形をモニタして傷・汚れ等を観測しながら、外乱の無い状態で調整終了した場合にその調整値を正とし、外乱が観測された場合は別の場所で再度自動調整する等の方法が取られてきたが、この場合、一旦停止後に再度起動する場合のサーボ自動調整も、上記方法で行うために傷や汚れの多いディスクでは、再度自動調整のために再生起動が遅くなるという問題点があった。
【０００５】
この発明は、前記のような課題を解決するためになされたもので、傷や汚れの多いディスクの場合でも、再起動の際に安定したサーボ自動調整の調整値を、再度自動調整等を行うことなく、迅速に得ることができるディスク再生装置を得ることを目的とする。
【課題を解決するための手段】
【０００６】
この発明に係るディスク再生装置は、回転するディスク上を走査する光学ピックアップの出力に基づいて、上記ディスク上の傷や汚れを検出する検出手段と、上記ディスクの再生時、上記検出手段の検出結果に基づいて上記ディスク上の傷や汚れの無い部分をサーボ自動調整の適正エリアとして記憶する記憶手段と、該記憶手段の出力に基づいてサーボ自動調整を行うサーボ調整手段とを備え、上記サーボ調整手段は、上記ディスクの再生終了後に再起動する時点で上記適正エリアでのサーボ自動調整を実施するものである。
【発明の効果】
【０００７】
この発明は、サーボ自動調整を行うに適したエリアを再生中に探し記憶しておくことにより、傷や汚れの多いディスクの場合でも、再起動の際に安定した調整値を、再度サーボ自動調整等を行うことなく、迅速且つ確実に得ることができるという効果がある。
【発明を実施するための最良の形態】
【０００８】
以下、この発明の実施の一形態を、図１〜図７を参照して説明する。
実施の形態１．
図１は、この発明の実施の形態１によるディスク再生装置を示す構成図である。
本実施の形態では、サーボ調整を自動調整で行うディスク再生装置において、通常再生時に傷・汚れが無く、自動調整を行うに適したエリアの場所を記憶しておき、同じディスクで再度自動調整を行う場合にこの適正エリアで自動調整を行うものである。
【０００９】
図１において、ディスク再生装置は、ディスク１がセットされるターンテーブル２と、このターンテーブル２上でディスク１を押えるためのディスク押え部３と、ターンテーブル回転軸４を介してターンテーブル２上のディスク１を回転するモータ５と、ディスク１上を走査して曲等の音楽情報を取り込む光学ピックアップ６と、光学ピックアップ６に取り付けられたネジ棒７と、このネジ棒７を回転するネジ棒回転モータ８と、モータ５および光学ピックアップ６を駆動するモータドライバ９と、傷・汚れを検出する検出手段としての傷・汚れ検出手段１０ａおよびサーボ機構を自動調整するサーボ自動調整手段１０ｂを有し、光学ピックアップ６に連動してモータドライバ９を制御するサーボ・コントローラ１０と、サーボ・コントローラ１０と相互接続され、自動調整判断手段１１ａを有し、サーボ・コントローラ１０を制御すると共にモータドライバ９を制御する主制御手段であるマイクロコンピュータ１１と、このマイクロコンピュータ１１と相互接続され、サーボ自動調整を実施するディスク１上の区間のアドレス、即ち自動調整適正エリアのアドレスを記憶するアドレス記憶手段１２ａを有する記憶手段としてのメモリ１２とを備える。なお、サーボ・コントローラ１０のサーボ自動調整手段１０ｂとマイクロコンピュータ１１は、実質的にサーボ調整手段を構成する。
なお、ピックアップの送り機構としてネジ棒７を使用するよう説明したが、ラックアンドオピニオンやリニアモータ等を用いて構成しても良い。
【００１０】
ここで、ディスク再生装置におけるサーボ自動調整は、光学ピックアップ６の光学特性のバラツキ、ディスク１の光学特性のバラツキ、および再生温度の影響を吸収するために、ディスク１の新規挿入時は勿論再起動時（再生後の停止を経て再び再生を開始する）等に行われる。サーボ自動調整の主な内容は、フォーカス、トラッキングのオフセットキャンセル、バランス調整、ゲイン調整などがある。これらの自動調整は、光学ピックアップ６に内蔵されているレーザーダイオード（図示せず）からディスク１にレーザーを照射し、帰ってきた戻り光から生成される各種サーボ信号（フォーカスエラー、トラッキングエラー、ＲＦ波）を観測することによって行われる。
【００１１】
この時に、ディスク１の読み取り面に傷や汚れが存在すると戻り光が影響を受け、サーボ自動調整により得られる調整結果に影響が生じ、正しい調整値が得られない。この正しい調整値が得られない場合、耐振性の悪化、プレイアビリティの悪化が発生し、極端に間違った値の場合は、アクセス動作の失敗、ひいては起動不能の症状を招く場合もある。
サーボ自動調整は、ディスク１をディスク再生装置に新規に挿入する時に行われるが、再起動時にも実施されることも多い。このディスク１が新規挿入された場合は、通常内周のリードインエリアでサーボ自動調整は実施されるが、再起動時は再起動開始位置、あるいは光学ピックアップ６の停止位置で行われることが多い。
【００１２】
次に、動作について、図２を参照して説明する。
先ず、ステップＳＴ１において、モータ５によりターンテーブル２上のディスク１を回転し、光学ピックアップ６によりディスク１から情報を読み取る再生動作を開始し、ステップＳＴ２において、サーボコントーラ１０内の傷・汚れ検出手段１０ａの検出結果に基づいてマイクロコンピュータ１１でディスク１の読み取り面に傷や汚れが有るか否かを判別し、ディスク１の読み取り面に傷や汚れが無くなるまで同様の判別動作を繰り返し、ディスク１の読み取り面に傷や汚れが無いことが確認された時点で、ステップＳＴ３において、そのときのサーボ自動調整を実施するに充分な区間の開始アドレスをメモリ１２のアドレス記憶手段１２ａに記憶する。
【００１３】
次いで、ステップＳＴ４において、マイクロコンピュータ１１内の自動調整判断手段１１ａで、サーボ自動調整を実施するに充分な区間傷や汚れが無いか否かを判別し、有ればステップＳＴ２に戻って上述の動作を繰り返し、無ければ、ステップＳＴ５において、サーボ自動調整を実施するに充分な区間の終了アドレスをメモリ１２のアドレス記憶手段１２ａに記憶して、処理動作を終了する。
【００１４】
図３は、サーボ調整を迅速に行うことができるように、サーボ自動調整を行うのに適した適正エリアを記憶しておく場合の一例を示すもので、これにより再生動作を早くすることができる。
即ち、図３（ａ）において、ディスク１には、その中心部から外側に向かって、センタホール１ａ、クランプエリア１ｂ、リードインエリア１ｃ、音楽プログラムエリア１ｄおよびリードアウトエリア１ｅが順に配列されているが、本実施の形態では、図３（ｂ）に示すように、停止してから再生を開始する時点（Ｓｔｏｐ/Ｐｌａｙ）から、サーボ自動調整を行うのに適したエリアの開始アドレスと終了アドレス、即ち、ディスク１に傷、汚れの無いエリアＯＫ１、ＯＫ２のアドレスをアドレス記憶手段１２ａに記憶しておくことで、再起動の際に安定したサーボ自動調整の調整値を、再度サーボ自動調整等を行うこと無く、迅速且つ確実に得ることができる。
【００１５】
このように、本実施の形態では、ディスクの再生を行っている時に、サーボ自動調整を実施するに充分な区間の間ディスクに傷および汚れが無い場合にその区間の開始アドレスと終了アドレスを記憶し、その再生終了後に再起動する時点で記憶の区間でのサーボ自動調整を実施する、つまり、サーボ自動調整を行うに適したエリアを再生中に探し記憶しておくことにより、再起動の際に安定したサーボ自動調整の調整値を、再サーボ自動調整等をすることなく、迅速且つ確実に得ることができる。
【００１６】
実施の形態２．
図４は、この発明の実施の形態２によるディスク再生装置を示す構成図である。なお、図４において、図１と対応する部分には同一符号を付し、その詳細説明を省略する。
本実施の形態では、図１におけるマイクロコンピュータ１１の代わりに、自動調整判断手段１１ａの他に、ディスク１の識別を行うディスク識別手段１１ｂを有するマイクロコンピュータ１１Ａと、さらに、図１におけるメモリ１２の代わりに、アドレスを記憶するアドレス記憶手段１２ａの他に、ディスク識別手段１１ｂで識別されたディスク識別情報を記憶するディスク識別情報記憶手段１２ｂを有する記憶手段としてのメモリ１２Ａを備える。その他の構成は、図１の場合と同様である。なお、サーボ・コントローラ１０のサーボ自動調整手段１０ｂとマイクロコンピュータ１１Ａは、実質的にサーボ調整手段を構成する。
【００１７】
次に、動作について、図５を参照して説明する。
先ず、ステップＳＴ１１において、モータ５によりターンテーブル２上のディスク１を回転し、光学ピックアップ６によりディスク１から情報を読み取る再生動作を開始し、ステップＳＴ１２において、サーボコントーラ１０内の傷・汚れ検出手段１０ａの検出結果に基づいてマイクロコンピュータ１１Ａでディスク１の読み取り面に傷や汚れが有るか否かを判別し、ディスク１の読み取り面に傷や汚れが無くなるまで同様の判別動作を繰り返し、ディスク１の読み取り面に傷や汚れが無いことが確認された時点で、ステップＳＴ１３において、そのときのサーボ自動調整を実施するに充分な区間の開始アドレスをメモリ１２Ａのアドレス記憶手段１２ａに記憶する。
【００１８】
次いで、ステップＳＴ１４において、マイクロコンピュータ１１Ａ内の自動調整判断手段１１ａで、サーボ自動調整を実施するに充分な区間傷や汚れが無いか否かを判別し、有ればステップＳＴ２に戻って上述の動作を繰り返し、無ければ、ステップＳＴ１５において、サーボ自動調整を実施するに充分な区間の終了アドレスをメモリ１２Ａのアドレス記憶手段１２ａに記憶し、ステップＳＴ１６において、ディスク識別手段１１ｂでディスク１の識別を行い、その識別されたディスク識別情報をディスク識別情報記憶手段１２ｂに記憶して処理動作を終了する。
【００１９】
このように、本実施の形態では、記憶する調整適正エリアのアドレスと対応させてそのディスクを識別可能な情報(例えばＣＤにおいてはリードイン情報の一部）を記憶する、つまり、記憶する自動調整用エリアとディスクを識別可能な情報を関連づけて記憶することにより、各ディスクにおいてディスク識別情報に関連づけられた自動調整エリアでの自動調整を行うので、ディスク識別情報により、一旦再生したディスクでは、適正エリアを、再生動作を経ることなく使用可能である。
【００２０】
実施の形態３．
図６は、この発明の実施の形態３によるディスク再生装置を示す構成図である。なお、図６において、図１と対応する部分には同一符号を付し、その詳細説明を省略する。
本実施の形態では、図１におけるマイクロコンピュータ１１の代わりに、自動調整判断手段１１ａの他に、自動調整適正エリアのアドレスの演算を行うアドレス演算手段１１ｃを有するマイクロコンピュータ１１Ｂを備える。その他の構成は、図１の場合と同様である。なお、サーボ・コントローラ１０のサーボ自動調整手段１０ｂとマイクロコンピュータ１１Ｂは、実質的にサーボ調整手段を構成する。
【００２１】
上記図３（ｂ）において、記憶しておいたサーボ自動調整を行うのに適したエリア、即ち、ディスク１に傷、汚れの無いエリアＯＫ１、ＯＫ２は、両者の間には一定区間または一定時間Ｌの差異があり、例えば、エリアＯＫ１の場合は、読み出しから再生まで往復距離はＬ１であるが、エリアＯＫ２の場合は、読み出しから再生まで往復距離はエリアＯＫ１の場合の往復距離Ｌ１より近い往復距離Ｌ２であり、従って、本実施の形態では、同じディスク１で再度サーボ自動調整を行う場合に、再起動を行う場所の一番近傍の適正エリア、即ち、ここでは、一番近いエリアＯＫ２でサーボ自動調整を行うようにする。これにより、再起動の際に安定したサーボ自動調整の調整値を、再サーボ自動調整等をすること無く、迅速且つ確実に得ることができる。
【００２２】
次に、動作について、図７を参照して説明する。
先ず、ステップＳＴ２１において、モータ５によりターンテーブル２上のディスク１を回転し、光学ピックアップ６によりディスク１から情報を読み取るための再起動か否かを判別し、再起動が開始されると、ステップＳＴ２２において、自動調整適正エリアのアドレスの演算をマイクロコンピュータ１１Ｂ内のアドレス演算手段１１ｃで行い、自動調整判断手段１１ａで、自動調整適正エリアのアドレスは存在するか否かを判別し、存在すれば、ステップＳＴ２３において、自動調整適正エリアのアドレスを読み出し、ステップＳＴ２４において、最近傍の適正エリア、即ち図３（ｂ）の場合はエリアＯＫ２へ光学ピックアップ６を移動し、ステップＳＴ２５において、サーボ自動調整を実施して処理動作を終了する。一方、ステップＳＴ２２で、自動調整適正エリアのアドレスが存在しなければ、そのままステップＳＴ２５で、サーボ自動調整を実施した後、処理動作を終了する。
【００２３】
このように、本実施の形態では、自動調整適正エリアの情報を複数記憶しておくことにより、再生停止後に再起動する際、一番近傍の適正エリアでの自動調整を行うことにより、再度サーボ自動調整を行う場合に、再起動を行う場所の一番近傍の適正エリアを使用することで、光学ピックアップの移動に要する時間を短縮し、再起動時間の短縮を図ることができる。
【図面の簡単な説明】
【００２４】
【図１】この発明の実施の形態１によるディスク再生装置を示す構成図である。
【図２】この発明の実施の形態１によるディスク再生装置の動作説明をするためのフローチャートである。
【図３】この発明の実施の形態１および３によるディスク再生装置の動作説明をするための図である。
【図４】この発明の実施の形態２によるディスク再生装置を示す構成図である。
【図５】この発明の実施の形態２によるディスク再生装置の動作説明をするためのフローチャートである。
【図６】この発明の実施の形態３によるディスク再生装置を示す構成図である。
【図７】この発明の実施の形態３によるディスク再生装置の動作説明をするためのフローチャートである。
【符号の説明】
【００２５】
１  ディスク、２  ターンテーブル、４  モータ、６  光学ピックアップ、９  モータドライバ、１０，１０Ａ，１０Ｂ  サーボ・コントローラ、１１  マイクロコンピュータ、１２  メモリ。
【図１】
2006351157.tif 000003
【図２】
2006351157.tif 000004
【図３】
2006351157.tif 000005
【図４】
2006351157.tif 000006
【図５】
2006351157.tif 000007
【図６】
2006351157.tif 000008
【図７】
2006351157.tif 000009